(57)【要約】【課題】目的とする位置に容易かつ正確に貼り付けることができるホール封止用カバーシールの提供。【解決手段】透明なシール体の表面中央部に、中心位置を示す中心特定表示が付されているホール封止用カバーシール。【選択図】図１
0003159741.tif 000002
【実用新案登録請求の範囲】
【請求項１】
透明なシール体の表面中央部に、中心位置を示す中心特定表示が付されていることを特徴とするホール封止用カバーシール。
【請求項２】
前記中心特定表示の外周部に、封止するホールの形状と大きさを示すホール対応表示が更に付されていることを特徴とする請求項１記載のホール封止用カバーシール。
【請求項３】
前記ホール対応表示の外周部に、当該ホール対応表示と相似形を有するガイド表示が更に付されていることを特徴とする請求項２記載のホール封止用カバーシール。
【請求項４】
前記中心特定表示が、黒丸、×又は＋であることを特徴とすることを特徴とする請求項１〜３の何れか１項記載のホール封止用カバーシール。
【請求項５】
前記中心特定表示、ホール対応表示及びガイド表示が同心円状に表示されていることを特徴とする請求項３又は４記載のホール封止用カバーシール。
【請求項６】
前記ラベル本体の裏面に粘着剤層が形成されていることを特徴とする請求項１〜５の何れか１項記載のホール封止用カバーシール。
【請求項７】
請求項６記載のホール封止用カバーシールが、離型フィルムに貼合されていることを特徴とするホール封止用カバーシール。
【請求項８】
自動車用であることを特徴とする請求項１〜７の何れか１項記載のホール封止用カバーシール。
【考案の詳細な説明】
【技術分野】
【０００１】
本考案は、ホール封止用カバーシール、特に自動車の製造過程で形設された各種ホールの封止用として好適なカバーシールに関する。
【背景技術】
【０００２】
自動車の製造過程においては、塗装などの液抜きのために、あるいはロボットアームや治具等を差し込んで搬送や固定するために、パーツ等に各種ホールが形設されるが、組み立て後には、雨、水、泥、砂、ほこり等の進入を防いだり、風切り音や外部音を遮断するために、当該各ホールは封止されることになる。
而して、従来斯かるホールの封止作業は、単に黒色のシールを貼り付けることによって行なわれていたため、貼り付け位置の目標が定めにくい結果、正確に封止し得ず貼り付け位置がズレ易いと云う問題があり、往々にして貼り直し作業が必要となり、生産効率の低下を免れないのが実状であった。
【考案の概要】
【考案が解決しようとする課題】
【０００３】
本考案は、上記の如き従来の問題と実状に鑑みてなされたものであり、目的とする位置に容易に、かつ正確に貼り付けることができるホール封止用カバーシールを提供することを課題とする。
【課題を解決するための手段】
【０００４】
本考案者は、上記の課題を解決すべく、種々検討を重ねた結果、透明なシール体を用い、少なくともその表面に中心位置を示す表示を施せば、ホールを透視しつつ、シール体の中心位置表示を当該ホールの中心に合わせることにより、容易に、かつ正確に貼り付けることができることを見い出し、本考案を完成した。
【０００５】
すなわち、本考案は、透明なシール体の表面中央部に、中心位置を示す中心特定表示が付されていることを特徴とするホール封止用カバーシールにより上記課題を解決したものである。
また、本考案は、前記中心特定表示の外周部に、封止するホールの形状と大きさを示すホール対応表示が更に付されているホール封止用カバーシールにより上記課題を解決したものである。
また、本考案は、前記ホール対応表示の外周部に、当該ホール対応表示と相似形を有するガイド表示が更に付されているホール封止用カバーシールにより上記課題を解決したものである。
【考案の効果】
【０００６】
本考案のホール封止用カバーシールを用いれば、シール体が透明なため、ホールを透視しつつ、シール体の中心特定表示を目印としてホールの中心に合わせることができるので、容易に、かつ正確に目的とする位置にシールを貼り付けることが可能となる。
【０００７】
また、シール体にホール対応表示が付されていれば、これをホール輪郭に合わせることにより、位置合わせが更に容易となる。
【０００８】
また、シール体にガイド表示が付されていれば、これを利用することにより、目標が定め易くなるため、位置合わせがより一層容易となる。
【図面の簡単な説明】
【０００９】
【図１】本考案ホール封止用カバーシールの第１の実施の形態を示す概略平面説明図。
【図２】図１のＡ−Ａ線概略断面説明図。
【図３】本考案ホール封止用カバーシールの第２の実施の形態を示す概略平面説明図。
【考案を実施するための形態】
【００１０】
以下、本考案の実施の形態を図面と共に説明する。
【００１１】
図１は、本考案ホール封止用カバーシールの第１の実施の形態を示す概略平面説明図である。該図１において、１０はシール体で、図２に示す如く、裏面に粘着剤層２０を有し、離型フィルム３０の上面に貼合されている。尚、シール体１０の形状は、円形、方形等その如何を問わないが、通常は円形とするのが好ましい。
【００１２】
シール体１０の表面中央部には、中心位置を示す中心特定表示１１が印刷等の手段により付されている。
ここに中心特定表示１１は、中心位置の目印となるものであれば、黒丸、×、＋等の如何を問わない。
【００１３】
１２はホール対応表示で、封止するホールの形状と大きさを示しており、中心特定表示１１の外周部に印刷等の手段により表示されている。
【００１４】
１３はガイド表示で、ホール対応表示１２と相似形を有し、ホール対応表示の外周部に印刷等の手段により表示されている。
【００１５】
中心特定表示１１、ホール対応表示１２及びガイド表示１３は、全体として同心円状に表示するのが、位置合わせ作業がより容易となり望ましい。
【００１６】
シール体１０は、図２に示す如く、１枚毎にそれぞれ個別の離型フィルム３０に貼合したものであっても良いが、例えば図３に示す如く、複数枚のシール体１０を一枚の離型フィルム３０に貼合したものであっても良い。
【００１７】
次に、斯かる本考案ホール封止用カバーシールの使用法を説明する。
まず、離型フィルム３０からシール体１０を剥離する。次いで、当該シール体１０の中心特定表示１１を、自動車等のホールを透視しつつその中心に合わせ、その位置でシール体１０を貼り付ける。その際、ガイド表示１３を利用すれば目標が定め易く、またホール対応表示１２をホール輪郭に合わせれば、中心特定表示１１をよりホールの中心に合わせ易くなる。
【００１８】
因に、従来の黒色シールを用いた場合には、平均貼り付け時間が５．５秒で、平均ズレ距離が４mmであったが、本考案のシールを用いた場合には、平均貼り付け時間が３．２秒に短縮され、また平均ズレ距離も２mmに短縮された。
【符号の説明】
【００１９】
１０：シール体
１１：中心特定表示
１２：ホール対応表示
１３：ガイド表示
２０：粘着剤層
３０：離型フィルム
【図１】
0003159741.tif 000003
【図２】
0003159741.tif 000004
【図３】
0003159741.tif 000005
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
透明なシール体の表面中央部に、中心位置を示す中心特定表示が付されていることを特
徴とするホール封止用カバーシール。
【請求項２】
前記中心特定表示の外周部に、封止するホールの形状と大きさを示すホール対応表示が
更に付されていることを特徴とする請求項１記載のホール封止用カバーシール。
【請求項３】
前記ホール対応表示の外周部に、当該ホール対応表示と相似形を有するガイド表示が更
に付されていることを特徴とする請求項２記載のホール封止用カバーシール。
【請求項４】
前記中心特定表示が、黒丸、×又は＋であることを特徴とすることを特徴とする請求項
１〜３の何れか１項記載のホール封止用カバーシール。
【請求項５】
前記中心特定表示、ホール対応表示及びガイド表示が同心円状に表示されていることを
特徴とする請求項３又は４記載のホール封止用カバーシール。
【請求項６】
前記シール体の裏面に粘着剤層が形成されていることを特徴とする請求項１〜５の何
れか１項記載のホール封止用カバーシール。
【請求項７】
請求項６記載のホール封止用カバーシールが、離型フィルムに貼合されていることを特
徴とするホール封止用カバーシール。
【請求項８】
自動車用であることを特徴とする請求項１〜７の何れか１項記載のホール封止用カバー
シール。